(57)【特許請求の範囲】
【請求項１】
前後に開放する本体部と、該本体部の内部に設けられて仕切板により前後に仕切られた前層側蛇行流路および後層側蛇行流路と、前記本体部に設けられて前層側蛇行流路および後層側蛇行流路を夫々覆蓋する流路蓋部材とから構成されて球補給設備から補給される遊技球を受入れる球払出流路構成部、およびこの球払出流路構成部の下流に接続されて、該球払出流路構成部に受入れた遊技球を払出す球払出装置が機裏側に配設された遊技機において、
前記前層側蛇行流路における少なくとも一部は、前記後層側蛇行流路に重畳しない位置に設けられ、
前記仕切板には、前記前層側蛇行流路における前記後層側蛇行流路に重畳しない部位と対応する位置に貫通孔が形成され、
前記後層側蛇行流路を覆蓋する後流路蓋部材は、外部から後層側蛇行流路内を視認可能な透光性部材で形成されている
ことを特徴とする遊技機。
【請求項２】
前記前層側蛇行流路における屈曲部の全部または一部が、前記後層側蛇行流路に重畳しないよう構成される請求項１記載の遊技機。
【請求項３】
前記後流路蓋部材には、前記仕切板に形成された貫通孔に対応する位置に開口部が形成されている請求項１または２記載の遊技機。
【請求項４】
前記後流路蓋部材は、その一端縁および前記本体部の対応する一端縁に設けた枢支手段を介して本体部に対して片開き自在に配設されている請求項１〜３の何れかに記載の遊技機。
【請求項５】
前記後流路蓋部材には、機裏側に配設されて遊技を制御する制御基板と信号線により電気的に接続された電子部品が取付けられ、
当該後流路蓋部材は、前記制御基板の配設位置側に臨む一端縁に前記枢支手段が設けられると共に、他端縁および前記本体部の対応する他端縁に設けた係合手段を介して本体部に対して開放可能に閉成保持されるよう構成した請求項４記載の遊技機。
【発明の詳細な説明】
【技術分野】
【０００１】
この発明は、球補給設備から補給される遊技球を球払出装置に流通案内する球払出流路構成部を備えた遊技機に関するものである。
【背景技術】
【０００２】
パチンコ機、あるいは遊技球(パチンコ球)を利用したスロットマシン(一般に「パチンコ式スロットマシン」または「パロット」ともいう)等の遊技機では、機内で展開されるゲーム中に成立した入賞(例えばセーフ球の発生や図柄組合わせによる特典)に対し、機裏側に配置した球容器や球払出流路構成部等から構成される球貯留排出経路部内に貯留されたパチンコ球が、球払出流路構成部における球送出口に接続された球払出装置の払出し作動毎に、所定数の賞球として機前側の上球皿または下球皿側へ給出される。また、貸球用のカードおよびカードユニットを利用して貯留球を貸出し得るタイプの遊技機(一般に「カード式パチンコ遊技機」ともいう)では、前述した賞球払出しとは別に、遊技者による適正な球貸し操作に応答して、前記球払出装置または別途設置された別の球払出装置の払出し作動により、球貯留排出経路部内の貯留球が所定数の貸球として上球皿側へ給出されるようになっている。
【０００３】
前記カード式パチンコ遊技機では、前記球払出流路構成部に、貸球用の球送出路と、賞球用の球送出路とが機前側から見て前後に仕切られて２層で設けられている(例えば、特許文献１参照)。また、パチンコ機あるいはパチンコ式スロットマシンにおいて、一度に多量の賞球が必要となる特別遊技状態等が発生しても円滑に賞球を払出し得るように、賞球用の球送出路を特許文献１と同様に前後２層で設け、機外の球補給設備から適時にパチンコ球を補充投入して、常に球貯留排出経路部内に一定量以上のパチンコ球を貯留球として貯留するよう構成したものもある(例えば、特許文献２参照)。
【特許文献１】特開２００２−３４６１８４号公報
【特許文献２】特開２００５−１５２２７０号公報
【発明の開示】
【発明が解決しようとする課題】
【０００４】
前記球貯留排出経路部、殊に球払出装置の上流に接続される球払出流路構成部では、貯留球の確保およびパチンコ球の流速を低下させる観点から、前記球送出路は蛇行状に形成されている。そのため、球送出路内にゴミ等の異物が入ってしまった場合等には、球詰まりが発生して遊技に支障を来たすおそれがあり、従って、球詰まりが発生した場合はその箇所を早期に確認して対処する必要がある。
【０００５】
前記特許文献１または２に開示の遊技機では、遊技ホール内の設置枠台(通称「島」)に設置された外枠に対して開閉自在に枢支される開閉枠の裏側に、前記球貯留排出経路部が配設されており、該開閉枠を開放することで球貯留排出給経路部の後側が露出するよう構成されている。そして、この開閉枠の開放状態において、前記球払出流路構成部に設けられた後層側の球送出路が、作業者から視認し得る状態となる。そこで、開閉枠を開放した際に手前側に位置する後層側の球送出路を覆蓋する蓋部材にスリットを形成し、該スリットを介して後層側の球送出路内の球詰まり状態を外部から視認するようにすることはできる。また特許文献２のように、球払出流路構成部の構成部材を透明な部材で形成することで、後層側の球送出路内の貯詰まり状態を外部から視認することが可能となる。
【０００６】
しかし、開閉枠を開放した際に手前側に位置する後層側の球送出路の奥側に前層側の球送出路が重なるように形成されているため、仮に前記スリットを後層側の球送出路から前層側の球送出路まで貫通形成したとしても、手前側(後層側)の球送出路内の貯留球で奥側(前層側)の球送出路が隠れてしまい、手前側(後層側)の球送出路内の貯留球の球抜きを行なわない限り、奥側(前層側)の球送出路内における球詰まり状態を視認することは困難である。また、特許文献２のように構成部材を透明とした場合であっても、前後の球送出路が重なっているため、手前側(後層側)の球送出路内の貯留球が、奥側(前層側)の球送出路内を視認するうえでの障害となるため、作業者は観察する位置や角度等を変えなければならず、奥側(前層側)の球送出路に生じた球詰まり等の不具合を簡単に視認するのは困難であった。
【０００７】
すなわち、本発明は、前述した従来の技術に内在している前記課題に鑑み、これを好適に解決するべく提案されたものであって、前後２層で形成されている流路の何れの球詰まり状態も、簡単に外部から視認することができる遊技機を提供することを目的とする。
【課題を解決するための手段】
【０００８】
前記課題を克服し、所期の目的を達成するため、本願の請求項１に係る遊技機は、
前後に開放する本体部(28)と、該本体部(28)の内部に設けられて仕切板(33)により前後に仕切られた前層側蛇行流路(35)および後層側蛇行流路(42)と、前記本体部(28)に設けられて前層側蛇行流路(35)および後層側蛇行流路(42)を夫々覆蓋する流路蓋部材(36,45)とから構成されて球補給設備から補給される遊技球を受入れる球払出流路構成部(29)、およびこの球払出流路構成部(29)の下流に接続されて、該球払出流路構成部(29)に受入れた遊技球を払出す球払出装置(30,30)が機裏側に配設された遊技機において、
前記前層側蛇行流路(35)における少なくとも一部は、前記後層側蛇行流路(42)に重畳しない位置に設けられ、
前記仕切板(33)には、前記前層側蛇行流路(35)における前記後層側蛇行流路(42)に重畳しない部位と対応する位置に貫通孔(43,44)が形成され、
前記後層側蛇行流路(42)を覆蓋する後流路蓋部材(45)は、外部から後層側蛇行流路内を視認可能な透光性部材で形成されていることを特徴とする。
請求項１に係る発明では、後層側蛇行流路を覆蓋する後流路蓋部材を透視可能に構成したから、後層側蛇行流路に球詰まり等の不具合が生じた場合は、その不具合を外部から容易に視認することができる。また、前層側蛇行流路における後層側蛇行流路に重畳しない部位に対応する仕切板に貫通孔を形成したので、前層側蛇行流路に生じた球詰まり等の不具合を、後流路蓋部材および貫通孔を介して外部から簡単かつ確実に視認することができる。
【０００９】
請求項２に係る遊技機は、前記前層側蛇行流路(35)における屈曲部(35b)の全部または一部が、前記後層側蛇行流路(42)に重畳しないよう構成される。
請求項２に係る発明では、前層側蛇行流路における球詰まりの発生し易い屈曲部の全部または一部を、後層側蛇行流路と重畳しないよう構成したから、前層側蛇行流路に発生した球詰まり等の不具合を、後流路蓋部材および貫通孔を介して外部から簡単かつ確実に視認することができる。
【００１０】
請求項３に係る遊技機は、前記後流路蓋部材(45)には、前記仕切板(33)に形成された貫通孔(43,44)に対応する位置に開口部(75,76)が形成されている。
請求項３に係る発明では、後流路蓋部材における仕切板に形成された貫通孔に対応する位置に開口部を形成したから、前層側蛇行流路に球詰まりが生じた場合は、後層側蛇行流路を後流路蓋部材で覆蓋した状態のまま、開口部および貫通孔を介して器具を前層側蛇行流路に挿入して球詰まりを容易に解消させることができる。
【００１１】
請求項４に係る遊技機は、前記後流路蓋部材(45)は、その一端縁および前記本体部(28)の対応する一端縁に設けた枢支手段(48)を介して本体部(28)に対して片開き自在に配設されている。
請求項４に係る発明では、後流路蓋部材を片開き可能に構成したから、例えば、後層側蛇行流路に球詰まりが生じた場合は、後流路蓋部材を開放して指先で容易に球詰まりを解消することができる。また、前層側蛇行流路に球詰まりが生じた場合は、後流路蓋部材を開放した後、後層側蛇行流路側から貫通孔に器具を挿入する等して球詰まりを容易に解消させることができる。更に、不具合解消後にあっては、開放されている後流路蓋部材を閉じると云った簡易な作業により、再び球払出流路構成部が遊技球を受け入れられる状態になるから手間が掛からない。更にまた、例えば後流路蓋部材に基板や電子部品等が配設されている場合は、該基板や電子部品等を後流路蓋部材から取外すことなく、該後流路蓋部材を開放するだけで不具合を解消することが可能となる。
【００１２】
請求項５に係る遊技機は、前記後流路蓋部材(45)には、機裏側に配設されて遊技を制御する制御基板(23)と信号線により電気的に接続された電子部品(66,67)が取付けられ、
当該後流路蓋部材(45)は、前記制御基板(23)の配設位置側に臨む一端縁に前記枢支手段(48)が設けられると共に、他端縁および前記本体部(28)の対応する他端縁に設けた係合手段(51)を介して本体部(28)に対して開放可能に閉成保持されるよう構成した。
請求項５に係る発明では、後流路蓋部材に配設した電子部品が信号線を介して接続される制御基板の配設位置側に臨む一端縁に枢支手段を設けたから、信号線に遊びを設けることなく当該後流路蓋部材に電子部品を取付けた状態で開閉作動を行なうことができるため、球詰まり等の不具合の解消に関する作業性を向上させることができる。また、信号線を必要以上に余裕をもって配線する必要はなく、該信号線が弛むことで生ずる各種の不具合の発生を未然に防ぐことができる。
【発明の効果】
【００１３】
本発明に係る遊技機によれば、前後２層で形成された流路に発生した球詰まり等の不具合を容易に視認することができる。
【発明を実施するための最良の形態】
【００１４】
次に、本発明に係る遊技機につき、好適な実施例を挙げて、添付図面を参照しながら以下詳細に説明する。なお、実施例では、遊技機としてパチンコ式スロットマシン(以後「パロット」と指称する)を挙げて説明するが、本発明はパチンコ機等にも好適に実施可能である。また「前・後」とは、特に断わりのない限り、パロットを図１に示す正面側(前側)から見た状態で指称するものとする。
【実施例】
【００１５】
（パロットの基本構成について）
図１および図２に示す実施例に係るパロット１０の概略構成としては、該パロット１０の前面をなす前面扉１１と、この前面扉１１の側端に回動自在に枢支した内枠(開閉枠)１２と、該パロット１０の設置基体である外枠１３とから基本的に構成され、該外枠１３が島設備に取付け固定される。前面扉１１は、外枠１３に対して回動自在に枢支されると共に、その枢支端と反対側の裏面に設けた施錠装置１４の操作により外枠１３に対して内枠１２と一体で開閉し得るよう構成される。なお、図１において符号１５は、パロット１０に併設され、パチンコ球を貸出す貸出装置を示し、該貸出装置１５は、後述する主制御基板２３に電気的に接続される。
【００１６】
前記前面扉１１の前面中央には、前記内枠１２に設置されて前面扉１１の裏面に臨む可変表示装置１６を覆う透明な窓部１１ａが設けられ、該窓部１１ａを介して可変表示装置１６における複数のリール１７,１７,１７を前側から視認し得るようになっている。前記窓部１１ａの下方位置には、入賞により払出されたパチンコ球を貯留すると共に、この貯留したパチンコ球を前面扉１１の裏面に設けた球送り装置(図示せず)へ供給する上受け皿１８が配設されている。また、前面扉１１における最下部には、上受け皿１８からオーバーフローしたパチンコ球を貯留する下受け皿１９が配設してある。
【００１７】
前記上受け皿１８の上面および前面には、開始操作手段を構成する各種操作ボタン(賭数設定ボタン２０ａ,２０ｂ、リール停止ボタン２１、スタートレバー２２等)が設けられ、パロット１０は、これらのボタン等を操作することにより一連の変動ゲームが可変表示装置１６において実施されるようになっている。賭数設定ボタンは、遊技を行なうに際し、パチンコ球を最小単位の賭数(１ＢＥＴ分＝５球分)で設定する最小賭数設定ボタン２０ａと、パチンコ球を最大単位の賭数(例えば３ＢＥＴ分)で設定する最大賭数設定ボタン２０ｂがあり、これらのボタン２０ａ,２０ｂの操作により球送り装置を介してパチンコ球が機内に取込まれる。また、スタートレバー２２は、可変表示装置１６による変動ゲームを開始する際に操作するものであり、賭数設定ボタン２０ａ,２０ｂによりパチンコ球の適宜賭数を設定した後のレバー操作により、各リール１７,１７,１７の回転が開始される。更に、リール停止ボタン２１,２１,２１は、可変表示装置１６の複数のリール１７,１７,１７に対応して設けられ、当該停止ボタン２１,２１,２１の押圧操作により回転しているリール１７,１７,１７のうち対応するものを停止するよう構成される。
【００１８】
図２に示すように、前記内枠１２の裏側略中央部には可変表示装置１６が配設され、この可変表示装置１６は、パロット１０の幅方向に並列する複数(実施例では３つ)のリール１７,１７,１７を備え、各リール１７の外周には複数種類の図柄が所定間隔で設けられている。また各リール１７は、対応的に接続されたステッピングモータ等の駆動手段(図示せず)により、他のリール１７,１７と独立して縦方向に回転または停止し得るよう構成され、各リール１７が回転することで、前記窓部１１ａに図柄が連続的に変化しつつ表示されるようになっている。そして、リール１７,１７,１７が停止した際に、窓部１１ａに設定された有効ラインに並んだ図柄に応じて、入賞や特別遊技状態へ移行したり、または通常状態のまま遊技者の遊技操作により次の変動ゲームが開始される。
【００１９】
前記内枠１２の裏側には、主に可変表示装置１６による遊技の進行や球送り装置が実施するパチンコ球の取込みを制御する統括的な制御手段としての主制御基板(制御基板)２３や電源基板２４が設けられている(図２参照)。また、内枠１２の前側には、後述する球払出装置３０,３０で実施するパチンコ球の払出を制御するサブ制御手段として払出制御基板(図示せず)が設けられ、該払出制御基板は主制御基板２３に電気的に接続されてパチンコ球の払出し制御がなされる。なお、前記主制御基板２３は、内枠１２の略中央で前記可変表示装置１６の上側に位置している。
【００２０】
（球払出ユニットについて）
図２に示すように、前記内枠１２の裏側(機裏側)には、その上部に位置して島設備の球補給設備(図示せず)から補給されるパチンコ球を貯留する球タンク２５が配設されると共に、この球タンク底面の下流端(図２の右端)に開口された球出口に合わせた下部に斜状レール形の整流路部２６が取着される。また整流路部２６の下流端に、前記主制御基板２３の一側方(図２の右方)に臨むように内枠１２に着脱自在に取着された球払出ユニット２７の球入口３５ｃ,４２ｃが連絡し、球タンク２５、整流路部２６および球払出ユニット２７に相当量のパチンコ球を貯留球として一時的に貯留し得るようになっている。なお、整流路部２６は、球タンク２５からのパチンコ球をパロット１０の前後方向に２列整列状態で球払出ユニット２７へ送出案内するよう構成される。
【００２１】
前記球払出ユニット２７は、図３〜図５に示す如く、合成樹脂材料等により縦長の矩形状に形成された本体部２８を基体として、該本体部２８の前後に複数の蓋部材３６,４５,５４,６２を着脱自在に取付けることで構成される。この球払出ユニット２７における上部側に形成される球払出流路構成部２９の下流には、カセット形態とされる電動制御式の球払出装置３０,３０が設置される設置部３１が形成される一方、これら球払出装置３０,３０の下方に該装置３０,３０から払出された貸球および賞球を前記上受け皿１８または下受け皿１９へ排出したりパチンコ球を機外に排出する球払出・排出流路構成部３２が形成されており、前記球払出流路構成部２９を含む上流側に貯留された所定数のパチンコ球が、球払出装置３０,３０の作動により貸球または賞球として払出されるよう構成される。すなわち、球払出ユニット２７には、その高さ方向の上部側から下部側に、球払出流路構成部２９、球払出装置３０,３０の設置部３１および球払出・排出流路構成部３２が順に形成されている。
【００２２】
（球払出流路構成部について）
前記球払出流路構成部２９が形成される部分の本体部２８は前後に開放し、図６に示す如く、その内部に設けられた仕切板３３により内部空間が前後に仕切られている。そして、前側に位置する前側空間内に、図７に示す如く、パチンコ球の流通を許容する間隔で離間するよう仕切板３３から立設された一対の前画壁３４,３４により、直行部３５ａと屈曲部３５ｂとが連設されて左右方向に蛇行する前層側蛇行流路(前層側流路)３５が形成される。この前層側蛇行流路３５の上流端である前球入口３５ｃは、前記整流路部２６の対応する球出口に連通接続し、整流路部２６から前球入口３５ｃを介して流入したパチンコ球は、該前層側蛇行流路３５内に蛇行状に貯留されるようになっている。また前層側蛇行流路３５の下流端である前球出口３５ｄは、前記設置部３１に設けられた前球流入口３１ａに連通接続されている。
【００２３】
前記前層側蛇行流路３５は前方に開放しており、前記本体部２８の対応する上部前側に着脱自在に取付けられる前流路蓋部材３６により、当該前層側蛇行流路３５の前面開放部が覆蓋されるよう構成される。この前流路蓋部材３６は、図３に示す如く、本体部２８における前側空間の全体を覆い得る寸法に形成された矩形板状の部材であって、その左右両端縁には、後方(本体部側)に延出する複数の第１係止爪３７が設けられている。これに対し、本体部２８における左右の外側面には、各第１係止爪３７に対応する位置に、該第１係止爪３７に形成した係止孔３７ａに挿脱可能で第１係止爪３７に係合する第１係止片３８が突設してある。すなわち、本体部２８の前面側に臨ませた前流路蓋部材３６の各第１係止爪３７に、係止孔３７ａに挿通した対応する第１係止片３８を係止することで、本体部２８に対して前流路蓋部材３６が取付けられて、前側空間および前層側蛇行流路３５を覆蓋するようになっている。なお、各第１係止爪３７は弾性変形可能に構成され、該第１係止爪３７を本体部２８の外側面から離間するように弾性変形させることで、第１係止片３８との係止状態が解除され、前流路蓋部材３６を本体部２８から取外すことができるよう構成してある。
【００２４】
前記前流路蓋部材３６の内面(前側空間に臨む面)には、前記前層側蛇行流路３５に対応する位置に、該蛇行流路３５を流通するパチンコ球を案内する第１突条部３９が、前層側蛇行流路３５における中央部を通るように蛇行状に形成されている。また前流路蓋部材３６の内面には、図３に示す如く、上下に離間して複数の第１位置決めボス４０が突設され、該ボス４０の先端に突設した突部４０ａを、前記仕切板３３の対応する位置に形成した前後に貫通する位置決め孔３３ａに嵌挿することで、前流路蓋部材３６の本体部２８に対する位置決めがなされるようになっている。更に、前流路蓋部材３６の上部位置に前後に貫通する通孔３６ａが穿設されると共に、仕切板３３における該通孔３６ａに対応する位置に前後に貫通する通孔３３ｂが穿設されており、両通孔３３ｂ,３６ａに後方から挿通したネジ(図示せず)を介して球払出ユニット２７が前記内枠１２の裏側に取付けられるよう構成される。なお、前流路蓋部材３６は、外部から前層側蛇行流路内を視認可能な透光性部材(合成樹脂材料等)で形成されており、球払出ユニット２７を内枠１２から取外した状態で、前流路蓋部材３６を本体部２８から取外すことなく前層側蛇行流路内の状態を確認し得るようになっている。また第１位置決めボス４０および通孔３６ａは、何れも前層側蛇行流路３５および後述の後層側蛇行流路４２を避けた位置に設けられる。
【００２５】
前記仕切板３３により仕切られて後側に位置する後側空間内に、図３〜図５および図８に示す如く、パチンコ球の流通を許容する間隔で離間するよう仕切板３３から立設された一対の後画壁４１,４１により、直行部４２ａと屈曲部４２ｂとが連設されて左右方向に蛇行する後層側蛇行流路(後層側流路)４２が形成される。この後層側蛇行流路４２の上流端である後球入口４２ｃは、前記整流路部２６の対応する球出口に連通接続し、整流路部２６から後球入口４２ｃを介して流入したパチンコ球は、該後層側蛇行流路内に蛇行状に貯留されるようになっている。また後層側蛇行流路４２の下流端である後球出口４２ｄは、前記設置部３１に配設される後述の設置用蓋部材５４に形成される後球流入口５４ａに連通接続されている。
【００２６】
前記後層側蛇行流路４２は、その一部が前記前層側蛇行流路３５と前後に重畳しないように形成されている。実施例では、図５,図７および図８に示す如く、前層側蛇行流路３５の屈曲部３５ｂと、後層側蛇行流路４２の屈曲部４２ｂとの略全部が重畳しないよう設定される。そして、前記仕切板３３には、前層側蛇行流路３５における後層側蛇行流路４２に重畳しない屈曲部３５ｂに対応する位置に、該屈曲部３５ｂに倣う略円弧状の第１の貫通孔(貫通孔)４３が前後に貫通するように穿設されると共に、直行部３５ａに対応する位置に、該直行部３５ａと略平行な所定長さの第２の貫通孔(貫通孔)４４が前後に貫通するよう穿設され、各貫通孔４３,４４を介して前記本体部２８の後側から前層側蛇行流路３５に生じた球詰まり等の不具合を視認し得ると共に、器具等を各貫通孔４３,４４から前層側蛇行流路内に挿入して球詰まりを解消させ得るようになっている。なお、第２の貫通孔４４は、直行部３５ａにおけるパチンコ球が転動する下側に位置する前画壁３４に近接する位置に形成され、該前画壁上のゴミを好適に排出し得るようにしてある。また第１の貫通孔４３は、実施例では屈曲部３５ｂにおける内側に位置する前画壁３４に近接する位置に形成してあるが、外側の前画壁３４に近接させてもよい。
【００２７】
前記後層側蛇行流路４２は後方に開放しており、前記本体部２８の対応する上部後側に開閉および着脱自在に取付けられる後流路蓋部材４５により、当該後層側蛇行流路４２の後面開放部が覆蓋されるよう構成される。この後流路蓋部材４５は、図３に示す如く、本体部２８における後側空間の全体を覆い得る寸法に形成された矩形板状の部材であって、その一端縁において上下方向に所定間隔離間して複数(実施例では３つ)の係合部４６が形成され、該係合部４６には係合孔４６ａが穿設されている。これに対し、本体部２８における対応する後側の一端縁には、各係合部４６に対応する位置に、前記係合孔４６ａに挿脱可能で係合部４６に係合するよう外方に開放するフック片４７が形成してある。すなわち、本体部２８の後面側に臨ませた後流路蓋部材４５における各係合部４６の係合孔４６ａにフック片４７を挿通することで、当該後流路蓋部材４５は本体部２８に対して片開き自在に取付けられる(図９,図１０参照)。また係合孔４６ａからフック片４７を抜くことで、後流路蓋部材４５を本体部２８から容易に取外すことができるよう構成してある。実施例では、前記係合部４６とフック片４７とから、本体部２８に対して後流路蓋部材４５を片開き自在に枢支する枢支手段４８が構成される。
【００２８】
前記後流路蓋部材４５における係合部４６が形成される側とは反対側の他端縁には、前方(本体部側)に延出する複数の第２係止爪(係止爪)４９が上下方向に離間して設けられている。これに対し、前記本体部２８における対応する他端縁側の外側面には、各第２係止爪４９に対応する位置に、該第２係止爪４９に形成した係止孔４９ａに挿脱可能で第２係止爪４９に係合する第２係止片(係止片)５０が突設されている。すなわち、前記枢支手段４８により本体部２８に枢支した後流路蓋部材４５を所定方向に回動し、図９に示す如く、各第２係止爪４９に、係止孔４９ａに挿通した対応する第２係止片５０を係止することで、本体部２８に対して後流路蓋部材４５が閉成状態に保持されて、後側空間および後層側蛇行流路４２を覆蓋するようになっている。なお、各第２係止爪４９は弾性変形可能に構成され、該第２係止爪４９を本体部２８の外側面から離間するように弾性変形させることで、第２係止片５０との係止状態が解除され、後流路蓋部材４５を回動して本体部２８の後側空間および後層側蛇行流路４２を開放し得るよう構成してある。実施例では、前記第２係止爪４９と第２係止片５０とから、本体部２８に対して後流路蓋部材４５を閉成保持する係合手段５１が構成される。
【００２９】
前記後流路蓋部材４５の内面(後側空間に臨む面)には、前記後層側蛇行流路４２に対応する位置に、該蛇行流路４２を流通するパチンコ球を案内する第２突条部５２が、後層側蛇行流路４２における中央部を通るように蛇行状に形成されている。また後流路蓋部材４５の内面には、前記仕切板３３に形成した各位置決め孔３３ａに対応する位置に第２位置決めボス５３が突設され、該ボス５３の中心に穿設した凹部５３ａに、前記前流路蓋部材３６における第１位置決めボス４０の突部４０ａが、位置決め孔３３ａを介して嵌挿されることで、後流路蓋部材４５の本体部２８に対する位置決めがなされるようになっている。更に、後流路蓋部材４５における前記前流路蓋部材３６に穿設した通孔３６ａに対応する位置に、ネジおよび工具等を挿入可能な挿通孔４５ａが形成されており、仕切板３３および前流路蓋部材３６に穿設した通孔３３ｂ,３６ａに挿通したネジを、該挿通孔４５ａに後方から挿入した工具を用いて締付けたり緩めるよう構成される。なお、後流路蓋部材４５は、外部から後層側蛇行流路内を視認可能な透光性部材(合成樹脂材料等)で形成されており、前記外枠１３に対して内枠１２を開放することで機前面側に露出する球払出ユニット２７において、作業者に対して手前側に位置する後流路蓋部材４５を本体部２８から取外すことなく後層側蛇行流路内の状態を確認し得るようになっている。
【００３０】
（球払出装置の設置部について）
前記本体部２８に設けられる前記設置部３１は、後方に開放すると共に、該設置部３１に対応する後側に、前方(本体部側)に開放する矩形箱状の設置用蓋部材５４が着脱自在にネジ止めされる。そして、設置部３１および設置用蓋部材５４により画成される内部空間に、前後２基の球払出装置３０,３０が収容保持されるよう構成され、前側に位置する球払出装置３０に、前記前層側蛇行流路３５の前球出口３５ｄが前記前球流入口３１ａを介して連通接続される。また設置用蓋部材５４には、本体部２８に取付けた状態で前記後層側蛇行流路４２の後球出口４２ｄに連通接続する後球流入口５４ａが形成されており、後側に位置する球払出装置３０には、後層側蛇行流路４２の後球出口４２ｄが後球流入口５４ａを介して連通接続されるよう構成される。なお、両球払出装置３０,３０は、図１５に示すように、ケース体５５の内部に球払出し機構５６を内蔵した同一タイプとされ、パチンコ球が通過する球通路５７が該ケース体５５内に垂直に形成されている。
【００３１】
（球払出・排出流路構成部について）
前記本体部２８における前記設置部３１の下方側で球払出・排出流路構成部３２が形成される部分は後方に開放し、その内部には、前記両球払出装置３０,３０から払出されたパチンコ球を流下案内する球払出通路５８が形成されている。また本体部２８には、球払出通路５８に連通する上下２つの球払出口５９,５９が前方に開口するように形成され(図６参照)、球払出通路５８に流入したパチンコ球は、各球払出口５９を介して前記上受け皿１８または下受け皿１９に払出されるよう構成される。
【００３２】
前記球払出通路５８の一側方には、図５および図８に示す如く、上下方向に延在する下部球抜路６０が形成され、この下部球抜路６０の上端は、前記前流路蓋部材３６と本体部２８と前記後流路蓋部材４５とにより画成された上部球抜路６１の下端に連通接続されている。そして、後述する球抜き部材６９を開放操作することで、前後の蛇行流路３５,４２に貯留されているパチンコ球を、上下の球抜路６０,６１を介して機外に排出するよう構成される。
【００３３】
前記球払出・排出流路構成部３２が形成される部位に対応する本体部２８の後側には、下部蓋部材６２が着脱自在に取付けられて、前記球払出通路５８および下部球抜路６０の後面側を覆蓋するよう構成される。この下部蓋部材６２の本体部２８に対する取付構造は、前記前流路蓋部材３６と本体部２８との取付構造と同じであって、下部蓋部材６２の左右両端縁に形成された複数の第３係止爪６３を、本体部２８における左右外側面の対応位置に突設した第３係止片６４に係止することで、下部蓋部材６２が本体部２８に取付けられる。また、各第３係止爪６３を弾性変形して第３係止片６４との係止状態を解除することで、下部蓋部材６２は本体部２８から取外されるようになっている。なお、下部蓋部材６２における適宜位置に、前記後流路蓋部材４５に形成した挿通孔４５ａと同一の機能を有する挿通孔６２ａが形成されており、該挿通孔６２ａに対応する本体部２８に穿設した通孔２８ａ(図５参照)に挿通したネジを、挿通孔６２ａに後方から挿入した工具を用いて締付けたり緩めるよう構成される。すなわち、実施例の球払出ユニット２７は、内枠１２に対して上下二箇所でネジ止めされる。また挿通孔６２ａおよび通孔２８ａは、前記球払出通路５８および下部球抜路６０を避けた位置に設けられている。
【００３４】
（電子部品の装着部について）
前記後流路蓋部材４５および下部蓋部材６２の後面には、図２に示す如く、複数の装着部６５が設けられ、各装着部６５に、電子部品としての各種のセンサ６６や外部端子板６７が着脱自在に装着されている。このセンサ６６や外部端子板６７は、前記内枠１２に配設された主制御基板２３に信号線(図示せず)を介して接続されている。この場合において、内枠１２に取付けられた球払出ユニット２７では、前記本体部２８に片開き自在に枢支される後流路蓋部材４５の枢支端縁は、主制御基板２３の配設位置側に臨むよう設定されており、後流路蓋部材４５を開閉する際に、該蓋部材４５に装着されているセンサ６６や外部端子板６７と主制御基板２３とを接続する信号線が引っ張られることがないようになっている。すなわち、センサ６６や外部端子板６７を取外すことなく、後流路蓋部材４５を開閉作動し得るよう構成してある。
【００３５】
（球抜き部材について）
前記仕切板３３には、前記後流路蓋部材４５の枢支側とは反対側で、前後の蛇行流路３５,４２を避けた位置に、前後に貫通して上下方向に所定長さで延在する収容部６８が形成され、該収容部６８に、両蛇行流路３５,４２に貯留されているパチンコ球を排出するための球抜き部材６９が配設されている。また、球抜き部材６９の配設位置に対応して上下に位置する前後の蛇行流路３５,４２における屈曲部３５ｂ,４２ｂを画成する外側の画壁３４,４１に球抜口３４ａ,４１ａが形成され(図１３,図１４参照)、両球抜口３４ａ,４１ａは、収容部６８の下方に画成されて前記下部球抜路６０に連通する上部球抜路６１に連通可能に構成される。なお、上部球抜路６１は、本体部２８および前後の流路蓋部材３６,４５により画成されて上下方向に延在している。
【００３６】
前記球抜き部材６９は、常には第１位置(球抜き規制位置)にあって前記前球抜口３４ａおよび後球抜口４１ａを閉成して、前後の蛇行流路３５,４２に貯留されているパチンコ球が上部球抜路６１へ通出するのを規制する一方、前記第１位置から第２位置(球抜き許容位置)へ移動させることで前後の球抜口３４ａ,４１ａを夫々開放して、前後の蛇行流路３５,４２に貯留されているパチンコ球が上部球抜路６１へ通出するのを許容するスライドシャッター形態とされている。すなわち、実施例の球抜き部材６９は、図７、図８および図１３、図１４に示すように、前記仕切部３３を挟む前後の両空間に臨み、かつ前記の球抜口３４ａ,４１ａの閉成と開放との切換えを同時に行なうよう構成してある。
【００３７】
前述のような機能を具有するべく球抜き部材６９は、図１１および図１２に示す如く、前記収容部６８を上下に移動可能な矩形状に形成された基体７０の上端に連設されて、仕切板３３の前側に臨む前規制部７１と、基体７０の後面側に設けられて仕切板３３の後側に臨む後規制部７２と、基体７０の上端に連設されて、前記前規制部７１から離間して略平行に延在する弾性片７３とから基本的に構成され、全体が合成樹脂で一体成形されている。前記前規制部７１は、前記前層側蛇行流路３５の前球抜口３４ａに整合可能な形状に形成され、球抜き部材６９を第１位置に位置決めした際に前規制部７１で前球抜口３４ａを閉成し(図７参照)、球抜き部材６９を第２位置に移動することで前規制部７１が前球抜口３４ａを開放するよう構成される(図１３参照)。また、前記後規制部７２は、前記後層側蛇行流路４２の後球抜口４１ａに整合可能な形状に形成され、球抜き部材６９を第１位置に位置決めした際に後規制部７２で後球抜口４１ａを閉成し(図８参照)、球抜き部材６９を第２位置に移動することで後規制部７２が後球抜口４１ａを開放するよう構成される(図１４参照)。なお、前後の規制部７１,７２における蛇行流路３５,４２を向く内面は湾曲形成され、閉成状態で蛇行流路３５,４２を流通するパチンコ球の円滑な案内を行ない得るようになっている。
【００３８】
前記前規制部７１の前面に、上下に離間して一対の前第１案内ピン７１ａ,７１ａが突設されると共に、該前規制部７１の後面に、上下に離間して一対の前第２案内ピン７１ｂ,７１ｂが突設されている。また前記後規制部７２の後面に、上下に離間して一対の後案内ピン７２ａ,７２ａが突設される。そして、前第１案内ピン７１ａ,７１ａが、前記前流路蓋部材３６の対応する内面に形成されて上下方向に延在する前第１案内溝３６ｂに摺動自在に挿入されると共に、前第２案内ピン７１ｂ,７１ｂが、前記仕切板３３の対応する前面に上下に離間して夫々上下方向に延在するよう形成された前第２案内溝３３ｃ,３３ｃに夫々摺動自在に挿入され、更に、後案内ピン７２ａ,７２ａが、前記後流路蓋部材４５の対応する内面に形成されて上下方向に延在する後案内溝４５ｂに摺動自在に挿入されている。すなわち、球抜き部材６９は、各案内ピン７１ａ,７１ｂ,７２ａが対応する案内溝３６ｂ,３３ｃ,４５ｂに案内されて第１位置と第２位置との間を安定して移動するよう構成される。
【００３９】
前記弾性片７３は、前記基体７０との連設部を中心に揺動可能なレバー状を呈しており、その上端部には側方に延出する操作部７３ａが形成されて、該操作部７３ａは、前記本体部２８に形成した操作口２８ｂを介して外側方に延出するよう構成される。また弾性片７３を挟んで前後に位置する前流路蓋部材３６と仕切板３３との対向面には、上下方向に延在する移動溝７４ａと、該移動溝７４ａの上下端部に形成されて前層側蛇行流路３５から離間する方向に延出する上下の規制溝７４ｂ,７４ｃとからなる操作溝７４が対称の関係で夫々形成されている。そして、弾性片７３の前後両側に突設した規制ピン７３ｂ,７３ｂが対応する操作溝７４,７４に摺動可能に挿入されている。すなわち、弾性片７３は、図７に示すように球抜き部材６９を第１位置に位置決めした状態では、規制ピン７３ｂ,７３ｂが下側の規制溝７４ｃ,７４ｃに臨んで上下方向への移動が規制されており、指先操作により前記操作部７３ａを前規制部７１側へ押圧操作すると、該弾性片７３が基体７０との連結部を中心として弾性的に変位して、規制ピン７３ｂ,７３ｂが下側の規制溝７４ｃ,７４ｃから抜けて移動溝７４ａ,７４ａに移行するようになっている。従って、この状態で球抜き部材６９を上方に移動することで、規制ピン７３ｂ,７３ｂが移動溝７４ａ,７４ａに沿って移動し、その上端に至ると、弾性片７３の弾性復帰力によって規制ピン７３ｂ,７３ｂが移動溝７４ａ,７４ａから上側の規制溝７４ｂ,７４ｂに移行し、上下方向への移動が規制されて第２位置に位置決め保持されるようになっている。このように、実施例の球抜き部材６９は、第１位置および第２位置の何れの位置でも規制ピン７３ｂ,７３ｂと規制溝７４ｃ,７４ｂとにより位置保持されるので、当該パロット１０の振動等によりパチンコ球の球抜き許容状態から球抜き規制状態への不意の変位や、球抜き規制状態から球抜き許容状態への不意の変位が好適に防止される。
【００４０】
〔実施例の作用〕
次に、前述した構成に係る実施例のパロットの作用につき説明する。
先ず、前記球払出ユニット２７の組立ておよび、該ユニット２７の前記内枠１２への取付けについて説明する。球払出ユニット２７の本体部２８における球払出・排出流路構成部３２の形成位置に対応する後側に、前記下部蓋部材６２を、第３係止爪６３および第３係止片６４を介して取付ける。また、前記設置部３１に前後２基の球払出装置３０,３０を装着すると共に、本体部２８に対して前記設置用蓋部材５４をネジ止め固定する。更に、本体部２８における球払出流路構成部２９の形成位置に対応する前側に、前記前流路蓋部材３６を、第１係止爪３７および第１係止片３８を介して取付ける。更にまた、本体部２８における球払出流路構成部２９の形成位置に対応する後側に、前記後流路蓋部材４５を、係合部４６およびフック片４７を介して片開き自在に枢支したもとで、前記第２係止爪４９を第２係止片５０に係止して該後流路蓋部材４５が閉成保持されることで、当該球払出ユニット２７の組立てが完了する。
【００４１】
このように組立てられた前記球払出ユニット２７については、前記前面扉１１に枢支された内枠１２の裏側に対し、前記前流路蓋部材３６を対向する向きで位置決めすると共に、前記仕切板３３および前流路蓋部材３６に形成した通孔３３ｂ,３６ａおよび本体部２８に形成した通孔２８ａに後側からネジを挿通したもとで、後流路蓋部材４５および下部蓋部材６２に形成した挿通孔４５ａ,６２ａに後方から挿入した工具を用いてネジを内枠１２にねじ込むことで、当該球払出ユニット２７は内枠１２に位置決め固定される。また後流路蓋部材４５および下部蓋部材６２の後面に設けた各装着部６５に、対応するセンサ６６や外部端子板６７を装着すると共に(図２参照)、各センサ６６や外部端子板６７と、前記内枠１２に配設されている主制御基板２３とを信号線により電気的に接続する。なお、前記球抜き部材６９は第１位置に位置決めされて、前後の蛇行流路３５,４２に設けた球抜口３４ａ,４１ａは夫々閉成されている(図７,図８参照)。
【００４２】
前記パロット１０を島設備に縦向きの姿勢で設置した後、機外の球補給設備からパロット１０に供給されるパチンコ球は、前記球タンク２５から整流路部２６を介して球払出ユニット２７における前後の蛇行流路３５,４２に流入する。このとき、前記球抜き部材６９は第１位置に位置決めされているので、パチンコ球は前記上部球抜路６１に通出することなく、両蛇行流路３５,４２に順次貯留される。
【００４３】
そしてパチンコ球が正常に貯留された状態において、前記貸出装置１５の適正な球貸し操作、あるいは当該パロット１０で展開されるゲーム中に成立した入賞に対し、前記払出制御基板からの払出信号に基づいて、前記球払出装置３０,３０が作動し、球タンク２５、整流路部２６および前後の蛇行流路３５,４２に貯留されているパチンコ球が、貸球または賞球として球払出・排出流路構成部３２の球払出通路５８に通出され(図１５(ａ)参照)、前記球払出口５９,５９を介して上受け皿１８または下受け皿１９へ給出される。なお、前記球抜き部材６９は、前記規制ピン７３ｂ,７３ｂが下側の規制溝７４ｃ,７４ｃに臨んで位置保持されているから、当該パロット１０の振動等によりパチンコ球の球抜き規制状態から球抜き許容状態へ不意に変位することはない。
【００４４】
前記パロット１０が実施に供されている期間中において、前記球払出ユニット２７で球詰り等が発生した場合は、前記外枠１３に対して前面扉１１を開放し、該前面扉１１の裏側に配設されている内枠１２を機前面側に露出させる。このとき、内枠１２の裏側に配設されている球払出ユニット２７の後側が露出することとなる。球払出ユニット２７の前記後流路蓋部材４５は、前述したように透光性部材で形成されて内部が視認可能に構成されているから、該後流路蓋部材４５を本体部２８に対して開放することなく、後層側蛇行流路４２で発生している球詰まり箇所等を外部から確認することができる。そして、後層側蛇行流路４２の球詰まりを解消する場合は、図４および図５に示すように、前記本体部２８に対して後流路蓋部材４５を前記フック片４７を支点として回動して後層側蛇行流路４２を開放することで、指先で容易に球詰まりを解消することができる。なお、前記整流路部２６には図示しない球止め機構が配設されており、後流路蓋部材４５を開放させるときには、当該球止め機構を作動させて球タンク２５内のパチンコ球の流下を規制し、かつ前記球抜き部材６９の操作に基づく球抜きをしたもとで行なうことが好ましい。
【００４５】
また、前記本体部２８の仕切板３３には、前層側蛇行流路３５の屈曲部３５ｂおよび直行部３５ａに対応する位置に第１の貫通孔４３および第２の貫通孔４４が形成されているから、閉成状態の前記後流路蓋部材４５および各貫通孔４３,４４を介して前層側蛇行流路３５で発生している球詰まり箇所等を外部から確認することができる。そして、前層側蛇行流路３５の球詰まりを解消する場合は、前記本体部２８に対して後流路蓋部材４５を開放したもとで、後層側蛇行流路側から貫通孔４３,４４に器具を挿入する等して球詰まりを容易に解消させることができる。すなわち、球払出ユニット２７を内枠１２から取外すことなく、前層側蛇行流路３５で発生した球詰まりを解消することができ、球詰まり解消作業の簡略化が図られる。
【００４６】
前述したように前層側蛇行流路３５または後層側蛇行流路４２の球詰まりの解消後は、開放されている後流路蓋部材４５を閉成する簡易な作業により、再び球払出流路構成部２９にパチンコ球を受け入れ得る状態になる。また、前記本体部２８に対する後流路蓋部材４５の枢支端縁は、前記内枠１２に配設されている主制御基板２３の配設位置側となっているから、当該後流路蓋部材４５の後面に装着されているセンサ６６や外部端子板６７と主制御基板２３とを接続する信号線に遊びを設けたり、あるいはセンサ６６や外部端子板６７を取外すことなく、当該後流路蓋部材４５を開閉作動することができる。従って、信号線を必要以上に余裕をもって配線する必要はないから、該信号線が他の部品に引掛かったり後流路蓋部材４５の開閉に際して本体部２８との間に挟んでしまう等の、各種の不具合の発生を未然に防ぐことができる。
【００４７】
次に、前記パロット１０が実施に供されている期間中において、前記球払出流路構成部２９を含む上流側に貯留されているパチンコ球の全てを機外へ排出する必要が生じた場合には、第１位置に位置決め保持してある前記球抜き部材６９を第２位置へ移動させる。すなわち、前記操作部７３ａを指先で押圧操作して規制ピン７３ｂ,７３ｂを下側の規制溝７４ｃ,７４ｃから移動溝７４ａ,７４ａに移動したもとで、当該球抜き部材６９を第２位置に移動する(図１３,図１４参照)。これにより、前記前層側蛇行流路３５の前球抜口３４ａおよび後層側蛇行流路４２の後球抜口４１ａは夫々開放されて前記上部球抜路６１に連通するようになり、前層側蛇行流路３５および後層側蛇行流路４２に貯留されているパチンコ球は、各球抜口３４ａ,４１ａを介して上部球抜路６１へ順次通出され、前記下部球抜路６０を介して機外へ排出される(図１５(ｂ)参照)。すなわち実施例のパロット１０では、両球払出装置３０,３０へ到来する前のパチンコ球を、１つの球抜き部材６９を第１位置から第２位置へ移動させるだけで機外へ排出することができる。なお、球抜き部材６９は、前記規制ピン７３ｂ,７３ｂが上側の規制溝７４ｂ,７４ｂに臨んで位置保持されているから、球抜き時の振動等により球抜き許容状態から球抜き規制状態へ不意に変位するのは防止される。
【００４８】
そして、球抜き後は、前記球抜き部材６９を第２位置から第１位置に移動することで、前層側蛇行流路３５の前球抜口３４ａおよび後層側蛇行流路４２の後球抜口４１ａは夫々閉成され、両蛇行流路３５,４２へのパチンコ球の貯留が可能となる。
【００４９】
〔変更例〕
本願は前述した実施例の構成に限定されるものでなく、その他の構成を適宜に採用することができる。
１. 実施例では、前層側蛇行流路で発生した球詰まりの解消に際して、後流路蓋部材を開放して行なうようにした場合で説明したが、該後流路蓋部材を閉成状態のまま行なうようにしてもよい。例えば、図１６に示す如く、後流路蓋部材４５における仕切板３３に形成された前記第１および第２の貫通孔４３,４４に対応する位置に開口部７５,７６を形成する。この構成によれば、後流路蓋部材４５を閉成状態としたまま、開口部７５,７６および貫通孔４３,４４を介して後方から器具等を前層側蛇行流路３５に挿入することで、球詰まりを解消できる。なお、その他の構成は実施例と同じであり、図１６では主要な部材の符号のみ付してある。
２. 実施例では、後層側蛇行流路で発生した球詰まりの解消に際して、後流路蓋部材を開放して行なうようにした場合で説明したが、該後流路蓋部材を閉成状態のまま行なうようにしてもよい。例えば、図１７に示す如く、後流路蓋部材４５における後層側蛇行流路４２の直行部４２ａや屈曲部４２ｂに対応する部位に、前後方向に貫通する挿入孔７７,７８を形成する。この構成によれば、後流路蓋部材４５を閉成状態としたまま、挿入孔７７,７８を介して後方から器具等を後層側蛇行流路４２に挿入することで、球詰まりを解消できる。なお、その他の構成は実施例と同じであり、図１７では主要な部材の符号のみ付してある。
３. 図１６および図１７に示す変更例で採用される開口部７５,７６や挿入孔７７,７８は、夫々を単独で採用するものに限定されず、開口部７５,７６および挿入孔７７,７８を後流路蓋部材４５に設けてもよい。
４. 実施例および変更例で示す貫通孔４３,４４、開口部７５,７６および挿入孔７７,７８の形状に関しては、各例で示すように所定長さを有するものに限定されるものではなく、蛇行流路内の球詰まりを外部から視認あるいは解消し得るものであれば、多数の孔を所定間隔で形成したもの等、その他各種の形状を採用し得る。
５. 実施例では、球払出ユニットに球払出流路構成部、球払出装置を配設する設置部および球払出・排出流路構成部を形成した場合で説明したが、球払出ユニットには少なくとも球払出流路構成部が形成されていればよく、設置部や球払出・排出流路構成部は別部材に形成する態様であってもよい。
６. 後流路蓋部材を本体部に対して開閉自在に枢支する枢支手段の構成、後流路蓋部材を本体部に対して閉成保持する係合手段の構成は、何れも実施例のものに限定されるものではなく、同一の機能を有するものであれば、各種の構成を採用し得る。
７. 実施例では前後の各蛇行流路に対応して球払出装置を夫々配設した構成としたが、両蛇行流路からのパチンコ球を受入れて球払出通路に排出可能であれば、球払出装置は１基であってもよい。
【００５０】
本発明の具体構成としては、以下の限定が可能である。
〔付記１〕
前記後流路蓋部材(45)には、前記後層側蛇行流路(42)に対応する部位に挿入孔(77,78)が形成されている請求項１〜５の何れかに記載の遊技機。
付記１に係る発明では、後層側蛇行流路を後流路蓋部材で覆蓋した状態のまま、挿入孔を介して器具を後層側蛇行流路に挿入して球詰まりを容易に解消させることができる。
【００５１】
〔付記２〕
前記仕切板(33)には、前記前層側蛇行流路(35)における直行部(35a)の前記後層側蛇行流路(42)に重畳していない部位に対応した位置に第２の貫通孔(44)が形成されている請求項２〜５および付記１の何れかに記載の遊技機。
付記２に係る発明では、前層側蛇行流路の直行部で発生した球詰まりを、第２の貫通孔から挿入した器具により簡単に解消することができる。
【００５２】
〔付記３〕
前記球払出流路構成部(29)および球払出装置(30,30)は、外枠(13)に対して開閉自在な開閉枠(12)の裏側に配設され、該開閉枠(12)を開放することで球払出流路構成部(29)の後側が露出するよう構成される請求項１〜５および付記１,２の何れかに記載の遊技機。
付記３に係る発明では、外枠に対して開閉自在な開閉枠の裏側に球払出流路構成部が配設されているから、該開閉枠を開放することで後層側蛇行流路を覆蓋している後流路蓋部材が露出し、この状態で作業者は前後の流路における球詰まり等の不具合を簡単に視認することができる。
【図面の簡単な説明】
【００５３】
【図１】本発明の実施例に係るパロットを示す正面図である。
【図２】実施例に係るパロットの背面図である。
【図３】実施例に係る球払出ユニットを、本体部から前後の流路蓋部材を取外した状態で示す概略斜視図である。
【図４】実施例に係る球払出ユニットを、本体部に対して後流路蓋部材を開放した状態で示す概略斜視図である。
【図５】実施例に係る球払出ユニットを、本体部に対して後流路蓋部材を開放した状態で示す背面図である。
【図６】実施例に係る球払出ユニットの本体部を示す側面図である。
【図７】実施例に係る球払出ユニットを、本体部から前流路蓋部材を取外した状態で示す要部正面図であって、球抜き部材を第１位置に位置保持した状態を示す。
【図８】実施例に係る球払出ユニットを、本体部から後流路蓋部材を取外した状態で示す要部背面図であって、球抜き部材を第１位置に位置保持した状態を示す。
【図９】実施例に係る球払出ユニットを、本体部に対して後流路蓋部材を閉成した状態で示す横断平面図である。
【図１０】実施例に係る球払出ユニットを、本体部に対して後流路蓋部材を開放した状態で示す横断平面図である。
【図１１】実施例に係る球抜き部材を示す概略斜視図である。
【図１２】実施例に係る球抜き部材を示す概略斜視図である。
【図１３】実施例に係る球払出ユニットを、本体部から前流路蓋部材を取外した状態で示す要部正面図であって、球抜き部材を第２位置に位置保持した状態を示す。
【図１４】実施例に係る球払出ユニットを、本体部から後流路蓋部材を取外した状態で示す要部背面図であって、球抜き部材を第２位置に位置保持した状態を示す。
【図１５】実施例に係る球抜き部材を第１位置および第２位置に位置保持した状態でのパチンコ球の流れを示す説明図である。
【図１６】後流路蓋部材に開口部を形成した変更例に係る球払出ユニットの要部を示す概略斜視図である。
【図１７】後流路蓋部材に挿入孔を形成した変更例に係る球払出ユニットの要部を示す概略斜視図である。
【符号の説明】
【００５４】
２３ 主制御基板(制御基板)，２８ 本体部，２９ 球払出流路構成部
３０ 球払出装置，３３ 仕切板，３５ 前層側蛇行流路，３５ｂ 屈曲部
３６ 前流路蓋部材，４２ 後層側蛇行流路，４３ 第１の貫通孔(貫通孔)
４４ 第２の貫通孔(貫通孔)，４５ 後流路蓋部材，４８ 枢支手段
５１ 係合手段，６６ センサ(電子部品)，６７ 外部端子板(電子部品)
７５ 開口部，７６ 開口部
【図１】
0004651513.tif 000002
【図２】
0004651513.tif 000003
【図３】
0004651513.tif 000004
【図４】
0004651513.tif 000005
【図５】
0004651513.tif 000006
【図６】
0004651513.tif 000007
【図７】
0004651513.tif 000008
【図８】
0004651513.tif 000009
【図９】
0004651513.tif 000010
【図１０】
0004651513.tif 000011
【図１１】
0004651513.tif 000012
【図１２】
0004651513.tif 000013
【図１３】
0004651513.tif 000014
【図１４】
0004651513.tif 000015
【図１５】
0004651513.tif 000016
【図１６】
0004651513.tif 000017
【図１７】
0004651513.tif 000018